(57)【特許請求の範囲】
【請求項１】
作業台のテーブル面を多孔板で形成すると共にその下方に吸引箱を形成し、上記作業台上の奥側にドラフト部を設け、そのドラフト部の両側から作業台の側面と前面にかけてフードを立設し、ドラフト部の前面に透明シャッタを上下移動自在に設け、上記フード側の作業台上に、溶剤で洗浄すべきワークの前部を支持する前部支持部材を設け、作業台上の奧側に上記ワークの後部を支持する後部支持部材を設けると共に、上記ワークを奥側下方に傾斜させて支持すべく前部支持部材を後部支持部材より高く形成したことを特徴とするドラフトチャンバ。
【請求項２】
ドラフト部の奥側下部に多数のスリットからなる吸引口を形成した請求項１記載のドラフトチャンバ。
【請求項３】
ドラフト部内には照明器具が設けられる請求項１又は２記載のドラフトチャンバ。
【発明の詳細な説明】
【０００１】
【発明の属する技術分野】
本発明は、各種のワークの表面を溶剤で払拭作業して洗浄するためのドラフトチャンバに関するものである。
【０００２】
【従来の技術】
液晶基板等への印刷に用いられるスクリーン等のワークは、繰り返し使用するとインクが詰まるため定期的に溶剤を用い、ワーク表面を溶剤で払拭して洗浄している。
【０００３】
この溶剤によるワークの払拭作業は、クリーンルーム内で手作業で行っている。
【０００４】
【発明が解決しようとする課題】
ところで、払拭作業中は、溶剤が拡散し易く、オペレータが、溶剤を嗅いだり、吸い込んでしまいやすい問題がある。
【０００５】
特に、クリーンルーム内では、空調空気が循環されており、溶剤が拡散すると、これがＶＯＣ汚染源となる問題がある。
【０００６】
そこで、本発明の目的は、上記課題を解決し、溶剤を用いてワークを払拭作業するにおいて、溶剤の拡散を防止できるドラフトチャンバを提供することにある。
【０００７】
【課題を解決するための手段】
上記目的を達成するために請求項１の発明は、作業台のテーブル面を多孔板で形成すると共にその下方に吸引箱を形成し、上記作業台上の奥側にドラフト部を設け、そのドラフト部の両側から作業台の側面と前面にかけてフードを立設し、ドラフト部の前面に透明シャッタを上下移動自在に設け、上記フード側の作業台上に、溶剤で洗浄すべきワークの前部を支持する前部支持部材を設け、作業台上の奧側に上記ワークの後部を支持する後部支持部材を設けると共に、上記ワークを奥側下方に傾斜させて支持すべく前部支持部材を後部支持部材より高く形成したドラフトチャンバである。
【０００８】
請求項２の発明は、ドラフト部の奥側下部に多数のスリットからなる吸引口を形成した請求項１記載のドラフトチャンバである。
【０００９】
請求項３の発明は、ドラフト部内には照明器具が設けられる請求項１又は２記載のドラフトチャンバである。
【００１１】
【発明の実施の形態】
以下、本発明の好適一実施の形態を添付図面に基づいて詳述する。
【００１２】
図１〜図４において、１０は、溶剤（例えばメチルエチルケトン）でワーク１１の払拭作業を行う作業台で、そのテーブル面が多孔板１２で形成され、その下面に吸引箱１４が形成され、その吸引箱１４の四隅に脚１５が設けられて構成される。
【００１３】
この作業台１０の奥側には、ドラフト部１６が起立して設けられる。
【００１４】
ドラフト部１６は、作業台１０上に形成されたドラフト室１７と、ドラフト室１７の上部に区画形成され、吸引ファン１８とその駆動モータ１９を収容する機械室２０と、背面部に形成されドラフト室１７内を吸引する吸引通路２１とから構成される。
【００１５】
このドラフト部１６は、その外部が背面パネル２２、上部パネル２３、側面パネル２４、前面パネル２５で形成され、背面パネル２２に対向して内側背面パネル２６が設けられて吸引通路２１が形成され、内側背面パネル２６と前面パネル２５間に仕切り壁２７が設けられてドラフト室１７と機械室２０とに区画される。
【００１６】
このドラフト部１６の左右幅は、作業台１０の左右幅と同じに形成され、前後幅Ｗ16は、作業台１０の前後幅Ｗ10の略半分に形成される。
【００１７】
内側背面パネル２６のドラフト室１７に位置した下部には、多数のスリット２８からなる吸引口２９が設けられ、その吸引口２９に位置して各スリット２８の開度を調整するスリット板３０が水平方向移動自在に設けられる（図６参照）。
【００１８】
吸引通路２１は、吸引口２９を介してドラフト室１７に連通すると共に、その下方で、吸引穴３１を介して吸引箱１４内と連通し、その上部は、機械室２０内の吸引ファン１８の吸込側に接続され、吸引ファン１８の排気側が、排気ダクト３２に接続される。
【００１９】
ドラフト部１６の前面パネル２５には、ガラス板、アクリル板等からなる透明なシャッタ３３が設けられ、側面パネル２４には、シャッタ３３を案内するガイド溝３４が形成される。側面パネル２４には、シャッタ３３を適宜の高さで止めるストッパ３５が設けられる。
【００２０】
側面パネル２４から作業台１０の前面にかけてフード３６が立設される。このフード３６は、作業台１０の側面に立設された側面フード３７と側面フード３７を結び作業台１０の前面に立設された前面フード３９からなっている。
【００２１】
ドラフト室１７上には、蛍光灯など照明器具４０が設けられる。
【００２２】
ワーク１１は、多孔板１２上に前後の支持部材４１，４２が設けられ、その支持部材４１，４２にて、ワーク１１の奥側が下方に傾斜するように支持される。すなわち前部支持部材４１は、フード３６側の作業台１０上に設けられ、後部支持部材４２は、作業台１０上の奧側に設けられ、かつ前部支持部材４１が後部支持部材４２より高く形成され、ワーク１１の後部が後部支持部材４２に支持され、ワーク１１の前部が前部支持部材４１に支持されることで、ワーク１１の奥側が下方に傾斜するように支持される。またワーク１１の支持位置の多孔板１２には盲板４３（図３）が設けられる。
【００２３】
前面フード３９は、ワーク１１の前部の支持高さより高くなるように形成され、また側面フード３７は、前部が前面フード３９と同じ高さで、後部が、ストッパ３５で止められたシャッタ３３の下端近くまで高さとなるように形成され、シャッタ３３の下端とフード３６の周囲で開口部４４が形成される。
【００２４】
なお、４５は吸引箱１４に接続した排出弁である。また、ファン１８と照明器具４０は、溶剤が引火性の高いものをであれば、防爆仕様のものを用いる。
【００２５】
次に本発明の作用を述べる。
【００２６】
先ず、吸引ファン１８より吸引通路２１、吸引口２９を介してドラフト室１７内の空気が吸引され、同時に吸引穴３１を介して吸引箱１４内の空気が吸引され、テーブル面である多孔板１２の面上の空気が吸引される。
【００２７】
この状態で、溶剤で払拭作業すべきワーク１１を支持部材４１，４２にセットし、そのワーク１１の面を溶剤で払拭する。
【００２８】
この際、溶剤が蒸発しても、その蒸気は、空気より重く、作業台１０の側面と前面はフード３６で囲まれているため、作業台１０から漏れ落ちることなく、多孔板１２から吸引箱１４を介し吸引通路２１に吸引され吸引ファン１８より排気ダクト３２を介して排気される。また、払拭作業中にドラフト室１７に拡散する蒸気は、シャッタ３４下端とフード３６の上縁で囲まれた開口部４４から常時空気が、ドラフト室１７に流入するため、開口部４４から外部に拡散することがなく、作業者が払拭作業中に溶剤を吸い込むことを確実に防止できる。
【００２９】
この吸引空気流は、開口部４４を前後左右に１６等分した各位置において、最低風速が、有機溶剤予防法規則１６条の囲い式フードに規定される制御風速０．４ｍ／ｓｅｃ以上となるようにすると共に、有機溶剤発生箇所から有機溶剤蒸気を模擬したトレーサを発生させて、トレーサが漏出しないことを、トレーサの気流可視化試験で確認しておく。
【００３０】
また払拭作業中、作業者は、透明なシャッタ３４を通して、ワーク１１を見ながら作業が行えるため、さらに安全な作業が行える。
【００３１】
吸引通路２１から吸引する空気は、吸引口２９を介してドラフト室１７と吸引穴３１を介して吸引箱１４内を吸引しており、ドラフト室１７の空気は、吸引口２９から吸引通路２１へ、多孔板１２、吸引箱１４を介して吸引通路２１に吸引されるため、吸引箱１４内の圧力は、ドラフト室１７より負圧に保つことが必要であり、スリット板３０にて吸引口２９の各スリット２８の開度を調整することで、ドラフト室１７と吸引箱１４内の圧力バランスを適正に保ちつつ、開口部４４へ流入する風速を０．４ｍ／ｓｅｃ以上とすることが可能となる。
【００３２】
なお、本発明は、上述の実施の形態に限定されるものではなく、種々の改良を加えても良いことは勿論であり、例えば、吸引箱１４とドラフト室１７の吸引系統を別個に設けてもよい。
【００３３】
【発明の効果】
以上要するに本発明によれば、ワークを溶剤で払拭作業中に作業者がその溶剤を吸い込むことなく、安全に払拭作業を行うことが可能となる。
【図面の簡単な説明】
【図１】本発明の一実施の形態を示す要部拡大断面図である。
【図２】本発明の一実施の形態を示す正面図である。
【図３】図２の平面図である。
【図４】図２の右側面図である。
【図５】図２のＡ−Ａ線断面図である。
【図６】本発明において図１のＢ−Ｂ線矢視図である。
【符号の説明】
１０  作業台
１１  ワーク
１２  多孔板
１４  吸引箱
１６  ドラフト部
３３  シャッタ
３６  フード
４１，４２  支持部材
【図１】
0004700799.tif 000002
【図２】
0004700799.tif 000003
【図３】
0004700799.tif 000004
【図４】
0004700799.tif 000005
【図５】
0004700799.tif 000006
【図６】
0004700799.tif 000007